【誤訳訂正書】
【提出日】平成24年6月28日(2012.6.28)
【誤訳訂正１】
【訂正対象書類名】特許請求の範囲
【訂正対象項目名】全文
【訂正方法】変更
【訂正の内容】
【特許請求の範囲】
【請求項１】
少なくとも１つの光変調器手段（ＳＬＭ）を有するホログラフィック表示装置（ＨＡＥ）のために、カラー・ビデオ・ホログラムをレンダリング及び生成する方法であって、
オブジェクト点（ＯＰ）に分割されるシーン（３Ｄ−Ｓ）は、ホログラム全体（ＨΣＳＬＭ）として前記少なくとも１つの光変調器手段（ＳＬＭ）上にエンコードされ、かつ可視領域（ＶＲ）から再構成として見られることができ、
前記可視領域（ＶＲ）は、前記ビデオホログラムの前記再構成の１周期の間隔内に存在し、かつ再構成される前記シーン（３Ｄ−Ｓ）の各前記オブジェクト点（ＯＰ）と共にサブホログラム（ＳＨ）を規定し、
前記ホログラム全体（ＨΣＳＬＭ）は前記サブホログラム（ＳＨ）の重畳により形成され、
３Ｄレンダリング・グラフィックス・パイプライン（ＲＧＰ）は、奥行き情報を有する画像データにより表される前記シーン（３Ｄ−Ｓ）を前記オブジェクト点（ＯＰ）に構造化し、かつ前記オブジェクト点（ＯＰ）に対して少なくとも色情報及び奥行き情報を決定及び提供し、
原色のそれぞれについての１つのホログラフィック・カラー・パイプライン（ＨＧＰ）は色に関係するホログラム値を生成し、
可視な各前記オブジェクト点（ＯＰ）について、前記サブホログラム（ＳＨ）の複素ホログラム値は少なくとも１つのルックアップテーブルから取得されることができ、又は前記光変調器手段（ＳＬＭ）の変調器領域（ＭＲ）において再構成される前記オブジェクト点（ＯＰ）の波面から解析的に決定され、
前記ホログラフィック・カラー・パイプライン（ＨＧＰ）は、重畳されたそれぞれの前記ホログラム全体（ＨΣＳＬＭ）の計算を並列に実行することを特徴とする方法。
【請求項２】
前記３Ｄレンダリング・グラフィックス・パイプライン（ＲＧＰ）は、前記オブジェクト点毎に、記憶手段内のフレームバッファ（ＦＢ）に前記決定された色値を書き込み、かつ記憶手段内のＺバッファ（ＺＢ）に前記決定された奥行き値を書き込み、
前記記憶手段は、それぞれの原色について独立しており、
前記ホログラフィック・カラー・パイプライン（ＨＧＰ）は各々の前記記憶手段にアクセスすることを特徴とする、請求項１に記載の方法。
【請求項３】
前記３Ｄレンダリング・グラフィックス・パイプライン（ＲＧＰ）は、前記オブジェクト点毎に各原色について、格納手段内のフレームバッファ（ＦＢ）に前記決定された色値を書き込み、かつ前記格納手段内のＺバッファ（ＺＢ）に前記決定された奥行き値を書き込み、
少なくとも１つのマルチプレクサ（ＭＸ）は、制御手段として、これらのデータを並列な前記カラーパイプライン（ＨＧＰ）の各々に配信及び転送することを特徴とする、請求項１に記載の方法。
【請求項４】
前記ホログラフィック・カラー・パイプライン（ＨＧＰ）のそれぞれはフレームバッファ（ＦＢ）及びＺバッファ（ＺＢ）を有し、
前記少なくとも１つのマルチプレクサ（ＭＸ）は、制御手段として、前記３Ｄレンダリング・グラフィックス・パイプライン（ＲＧＰ）の結果を、前記カラー・パイプラインのこれらのメモリセクションに配信及び転送することを特徴とする、請求項３に記載の方法。
【請求項５】
前記変調器領域（ＭＲ）に形成される結像素子（ＯＳ）の透過率関数又は変調関数が計算及び解析されるために、前記サブホログラム（ＳＨ）の前記複素ホログラム値は、前記光変調手段の前記変調器領域（ＭＲ）において、再構成される前記オブジェクト点（ＯＰ）の前記波面から決定され、
再構成される前記オブジェクト点（ＯＰ）は、前記結像素子（ＯＳ）の焦点に存在することを特徴とする、請求項１乃至４の何れか１項に記載の方法。
【請求項６】
前記結像素子（ＯＳ）は少なくとも１つのレンズ（Ｌ）を含むことを特徴とする、請求項５に記載の方法。
【請求項７】
前記結像素子（ＯＳ）は少なくとも１つのプリズム（Ｐ）を更に含むことを特徴とする、請求項６に記載の方法。
【請求項８】
前記結像素子（ＯＳ）は、レンズ（Ｌ）及び少なくとも１つのプリズム（Ｐ）を含み、  前記方法は、前記シーン（３Ｄ−Ｓ）の可視な前記オブジェクト点のそれぞれに対して、
Ａ：半分の幅として「ａ」が、半分の高さとして「ｂ」が与えられ、そしてローカル座標が与えられる、前記サブホログラム（ＳＨ）の前記変調器領域（ＭＲ）の大きさ及び位置を決定するステップと；
Ｂ：前記変調器領域（ＭＲ）内での前記レンズ（Ｌ）の前記サブホログラムを決定するステップであって、
Ｂ１：好ましくは再構成される前記オブジェクト点の前記変調器領域からの標準的な距離として、前記レンズ（Ｌ）の焦点距離ｆを決定するステップと、
Ｂ２：λが基準波長であり、ｆが焦点距離であり、(x, y)が対応する座標対であり、符号が凹レンズ／凸レンズを示す場合に、式zL = exp{+/-i*[(Π/λ・f) * (x2 + y2)]}を使用して、前記レンズ（Ｌ）の対応する前記サブホログラム（ＳＨＬ）の複素値を決定するステップと、を含むステップと；
Ｃ：前記プリズム（Ｐ）の前記変調器領域（ＭＲ）内の前記サブホログラムを決定するステップであって、
Ｃ１：Ｍが前記プリズムの傾斜である場合に、区間x ∈[-a, a]において、式Cx = M * (2Π/λ)により記述される、水平な有効方向を有するプリズム（ＰＨ）の線形係数Ｃｘを決定するステップと、
Ｃ２：Ｎが前記プリズムの傾斜である場合に、区間y ∈[-b, b]において、式Cy = N * (2Π/λ)により記述される、垂直な有効方向を有するプリズム（ＰＶ）の線形係数Ｃｙを決定するステップと、
Ｃ３：zP = exp{i*[Cx*(x-a) + Cy*(y-b)]}により、前記２つのプリズムの項を重畳することにより、組み合わされた前記プリズムの前記対応する前記サブホログラム（ＳＨＰ）の前記複素値を決定するステップと、を含むステップと；
Ｄ：zSH = zL * zP又は記号を用いればSH = SHL * SHPにより、前記レンズ及び前記プリズムの複素値が乗算されるように、前記レンズ（Ｌ）の前記サブホログラム（ＳＨＬ）及び前記プリズム（Ｐ）の前記サブホログラム（ＳＨＰ）の変調を行なうステップと；
Ｅ：前記変調されたサブホログラムのそれぞれがランダム位相Φzを割り当てられ、zSH := zSH * exp(iΦz)又はSH := SH * exp(iΦz)により複素乗算が実行される、ランダム位相の適用を行なうステップと；
Ｆ：zSH := C * zSH又はSH := C * SHにより前記変調されたサブホログラムの値が実強度係数Ｃを与えられる、強度変調を行なうステップと；
を含むことを特徴とする請求項７に記載の方法。
【請求項９】
前記変調器領域（ＭＲ）の位置は、前記変調器領域（ＭＲ）の中心が再構成される前記オブジェクト点（ＯＰ）及び前記可視領域（ＶＲ）の中心を通る直線上にあるように決定されることを特徴とする、請求項１又は８に記載の方法。
【請求項１０】
前記変調器範囲（ＭＲ）の大きさは、前記可視領域（ＶＲ）を、前記オブジェクト点（ＯＰ）を通って前記光変調器手段（ＳＬＭ）まで追跡することにより決定されることを特徴とする、請求項１又は８に記載の方法。
【請求項１１】
前記ホログラム全体（ＨΣＳＬＭ）を形成するための前記サブホログラム（ＳＨ）の前記重畳は、前記サブホログラム（ＳＨ）の位置を考慮して、HΣSLM = ΣSHiにより前記サブホログラム（ＳＨ）の複素和として計算されることを特徴とする、請求項８に記載の方法。
【請求項１２】
変調された前記オブジェクト点の前記サブホログラム（ＳＨ）のそれぞれはランダム位相を与えられ、全ての前記サブホログラムのランダム位相は均一に分布することを特徴とする、請求項８に記載の方法。
【請求項１３】
前記複素ホログラム値は更に、前記光変調器手段（ＳＬＭ）の画素値へと色別に変換されることを特徴とする、請求項１乃至１２の何れか１項に記載の方法。
【請求項１４】
前記複素ホログラム値は、Ｂｕｒｃｋｈａｒｄｔ成分、二相成分、又は任意の他の適切なコードに変換されることを特徴とする、請求項１３に記載の方法。
【請求項１５】
規定空間は前記オブジェクト点に構造化され、各前記オブジェクト点についての前記サブホログラムはルックアップテーブルに色別に格納されることを特徴とする、請求項１乃至１２の何れか１項に記載の方法。
【請求項１６】
規定空間は前記オブジェクト点に構造化され、前記結像素子（ＯＳ）の少なくとも１つの成分に関連する前記サブホログラムは、各前記オブジェクト点について色別に決定され、対応するルックアップテーブルに格納されることを特徴とする、請求項１乃至１２の何れか１項に記載の方法。
【請求項１７】
請求項１乃至１３の何れか１項に記載の方法を実現する、スクリーン手段（Ｂ）を有するホログラフィック表示装置であって、
前記スクリーン手段（Ｂ）は、前記シーン（３Ｄ−Ｓ）の前記ホログラムがエンコードされる前記光変調器手段（ＳＬＭ）自体であるか、あるいは前記光変調器上にエンコードされたホログラム又は前記光変調器手段（ＳＬＭ）上にエンコードされた前記シーンの波面が結像される光学素子である
ことを特徴とするホログラフィック表示装置。
【請求項１８】
前記光学素子はレンズ又はミラーであることを特徴とする、請求項１７に記載のホログラフィック表示装置。
【誤訳訂正２】
【訂正対象書類名】明細書
【訂正対象項目名】００２９
【訂正方法】変更
【訂正の内容】
【００２９】
複素ホログラム値を計算する特に好適な方法を以下に更に説明する。変調器領域においてモデル化され且つ再構成されるオブジェクト点が焦点にある結像素子の透過率関数又は変調関数が計算及び解析されるという点において、本方法は、光変調器手段の変調器領域において再構成されるオブジェクト点の波面からサブホログラムの複素ホログラム値が計算されるという概念に基づいている。結像素子は、ホログラフィック表示装置のホログラム面に置かれる。ホログラム面はスクリーン手段の位置により規定され、簡潔にするために、以下の説明においてスクリーン手段は光変調器自体である。
【誤訳訂正３】
【訂正対象書類名】明細書
【訂正対象項目名】００３０
【訂正方法】変更
【訂正の内容】
【００３０】
方法の好適な一実施形態によると、結像素子は、ホログラム面にあり、焦点距離ｆを有し、且つ、傾斜しているレンズを含む。傾斜レンズは、ホログラム面に対して傾斜していないレンズと、水平方向及び垂直方向の双方において有効なプリズムとから構成される。厳密には、オブジェクト点が非焦点プリズムの関数のために再構成されないため、プリズムはサブホログラムを規定しない。しかし、更にプリズムが変調器範囲の複素ホログラム値に部分的に寄与するため、本発明の考察をある程度明確にするために、これはそのように説明される。
【誤訳訂正４】
【訂正対象書類名】明細書
【訂正対象項目名】００４１
【訂正方法】変更
【訂正の内容】
【００４１】
Ｃ４：プリズムの項は、ホログラフィック表示装置が光源を可視領域に結像する特性を示す場合に省略可能である。
【誤訳訂正５】
【訂正対象書類名】明細書
【訂正対象項目名】００５１
【訂正方法】変更
【訂正の内容】
【００５１】
本発明に係る方法は、ホログラフィック表示装置における表現のためにホログラム値を生成することに加え、生成されたサブホログラムによりルックアップテーブルを満たすために使用されるのが好ましい。これは、オブジェクト点に対するサブホログラムが上述の方法に従って決定され、かつルックアップテーブルに格納されることを意味する。そのようなルックアップテーブルにより、事前に計算されたオブジェクト点のサブホログラムを色及び奥行き情報に従って検索でき、ホログラムデータを生成中にそのサブホログラムを使用できる。ルックアップテーブルは、組み合わされたレンズ及びプリズムの関数である結像素子の、サブホログラムにより満たされるのが好ましい。しかし、別個のルックアップテーブルがレンズの関数又はプリズムの関数に関連するサブホログラムによりそれぞれ満たされることも考えられる。一般にそのようなルックアップテーブルは、本発明に係る方法に対して説明されるようなサブホログラムの原理が採用されるのが好ましい任意の他の方法を、持続的に促進する。例えばそのようなルックアップテーブルは、継続する方法又は大きな計算負荷を要求する方法の促進を可能にする。
【誤訳訂正６】
【訂正対象書類名】明細書
【訂正対象項目名】００５５
【訂正方法】変更
【訂正の内容】
【００５５】
【図１】ホログラフィック表示装置が基づく原理及びオブジェクト点を表す変調器領域を示す図である。
【図２ａ】レンズ及びプリズムを含む結像素子を有する表示装置を示す側面図である。
【図２ｂ】変調器領域及び垂直方向有効プリズムを示す図である。
【図２ｃ】変調器領域及び水平方向有効プリズムを示す図である。
【図３】本発明に係る方法を示すフローチャートである。
【図４】ホログラム面の後方でオブジェクト点を再構成する方法のオプションを示す図である。
【図５】方法及びホログラフィックパイプラインによる３Ｄレンダリング・グラフィックス・パイプラインの色に関係する拡張の好適な一実施形態を示すフローチャートである。
【誤訳訂正７】
【訂正対象書類名】明細書
【訂正対象項目名】００５７
【訂正方法】変更
【訂正の内容】
【００５７】
図２ａは、ホログラフィック表示装置（ＨＡＥ）を示す側面図であり、方法の一般的な原理を示す。変調器領域（ＭＲ）は、図１で説明されたことに類似して導出される。この領域は、光変調器（ＳＬＭ）が配設されるホログラム面（ＨＥ）に位置する。集束レンズ（Ｌ）及びプリズム（Ｐ）から成る結像素子（ＯＳ）は、変調器領域（ＭＲ）にある。図は、垂直方向有効プリズムウェッジのみを示し、明確にするために、結像素子（ＯＳ）は光変調器手段（ＳＬＭ）の前方に示される。
【誤訳訂正８】
【訂正対象書類名】明細書
【訂正対象項目名】００６０
【訂正方法】変更
【訂正の内容】
【００６０】
図３は、本発明に係る好適な方法を示すフローチャートである。方法の開始点は、複数のオブジェクト点（ＯＰ）から構成される３次元シーン（３Ｄ−Ｓ）である。色及び奥行き情報は、オブジェクト点（ＯＰ）に対して有効である。オブジェクト点の可視性は、観察者の位置、すなわち観察者の眼の瞳孔の位置に依存して奥行き情報に基づいて決定される。工程（Ａ）において、ホログラム面（ＨＥ）又は光変調器手段における各変調器領域（ＭＲ）のサイズ及び位置は、可視オブジェクト点毎に決定される。本発明の概念に従い、再構成されるオブジェクト点（ＯＰ）は、ホログラム面にある結像素子の焦点として解釈される。結像素子は、凸レンズ（Ｌ）と図２ｂ、図２ｃに示すような垂直方向及び水平方向有効プリズム（ＰＶ、ＰＨ）との組合せとして考えられる。サブホログラム（ＳＨ）の複素ホログラム値は再構成されるオブジェクト点（ＯＰ）の波面から光変調器手段の変調器領域（ＭＲ）において計算され、変調器領域（ＭＲ）においてモデル化され且つ再構成されるオブジェクト点（ＯＰ）が焦点にある結像素子（ＯＳ）の透過率関数又は変調関数が計算及び解析される。工程（Ｂ１）において、レンズ（Ｌ）の焦点距離は、ホログラム面（ＨＥ）からのオブジェクト点（ＯＰ）の標準的な距離として可視オブジェクト点毎に決定される。
【誤訳訂正９】
【訂正対象書類名】明細書
【訂正対象項目名】００６３
【訂正方法】変更
【訂正の内容】
【００６３】
ホログラフィック表示装置が光源を可視領域（ＶＲ）に結像する特性を示す場合、１つのプリズムの項は省略される。
【誤訳訂正１０】
【訂正対象書類名】明細書
【訂正対象項目名】００７２
【訂正方法】変更
【訂正の内容】
【００７２】
図４は、方法を適用することにより、ホログラム面（ＨＥ）の後方に位置するオブジェクト点（ＯＰ）が一般的に同様に再構成されることを示す。その場合、結像素子（ＯＳ）は同様に上述のプリズム（Ｐ）を有するが、結像素子のレンズは、波面が変調器領域において同様に判定される凹レンズ（Ｌ）である。
【符号の説明】
【誤訳訂正１１】
【訂正対象書類名】明細書
【訂正対象項目名】００８０
【訂正方法】変更
【訂正の内容】
【００８０】
３Ｄ−Ｓ    オブジェクト点から構成されるシーン
ＲＧＰ    ３Ｄレンダリング・グラフィックス・パイプライン
ＦＢ    ３Ｄレンダリング・グラフィックス・パイプラインのフレームバッファ
ＺＢ    ３Ｄレンダリング・グラフィックス・パイプラインのＺバッファ
ＨＧＰ    ホログラフィックパイプライン
ＭＸ    マルチプレクサ
ＨＡＥ    ホログラフィック表示装置
Ｂ    スクリーン手段
ＳＬＭ    光変調器手段
ＨＥ    ホログラム面
ＶＰ    観察者の眼／観察者の位置
ＶＲ    可視領域
ＯＰ    オブジェクト点（一般）
ＯＰｎ    オブジェクト点（参照インデックス付き）
ＳＨ    サブホログラム（一般）
ＳＨＬ    レンズのサブホログラム
ＳＨＰ    プリズムのサブホログラム
ＭＲ    変調器領域
ＳＨｉ    サブホログラム（一般、インデックス付き）
ＨΣＳＬＭ    ホログラム全体
ＯＳ    結像素子
Ｌ    レンズ
Ｐ    プリズム
ＰＨ    水平な有効方向を有するプリズム
ＰＶ    垂直な有効方向を有するプリズム